(57)【要約】【課題】副放送が放送されておらず、代わりに本放送受信した場合に、副放送を選択する指示を再度入力する必要なく、副放送が放送開始したときに副放送を受信できる受信装置を提供すること。【解決手段】  副放送が受信可能でなく、副放送の代わり本放送を受信手段が受信した際に、副放送の受信が予約される。副放送が予約されているときに、副放送が受信可能になると、受信手段が本放送の代わりに予約されている副放送を自動的に受信する。従って、副放送を選択する指示を何度も入力することなく、副放送が受信開始した際に、自動的に副放送を受信開始でき、ユーザの操作が簡略化できる。【選択図】図４
2007235477.tif 000002
【特許請求の範囲】
【請求項１】
本放送および一または複数の副放送を含む放送の中から、１つの本放送または副放送を選択する選択手段と、
本放送または副放送を受信する受信手段と、
該選択手段によって副放送が選択されたとき、該副放送が受信可能か否かを判断する受信可否判断手段と、
該副放送が受信可能であると判断された場合に該副放送の受信を該受信手段に指示し、該副放送が受信可能でないと判断された場合に該副放送の代わりに本放送を受信するように該受信手段に指示する指示手段と、
該指示手段が該副放送の代わりに本放送を受信するように該受信手段に指示した場合に、該副放送の受信を予約する予約手段とを備え、
該予約手段によって該副放送の受信が予約されているとき、該受信可否判断手段によって該副放送が受信可能であると判断された場合、該指示手段が該副放送の受信を該受信手段に指示する、受信装置。
【請求項２】
前記受信手段が副放送を受信している場合、前記受信可否判断手段が、該副放送が受信できなくなるか否かを判断し、
該副放送が受信できなくなると判断された場合、該指示手段が該副放送の代わりに本放送を受信するように該受信手段に指示し、前記予約手段が該副放送の受信を予約する、請求項１に記載の受信装置。
【請求項３】
前記予約手段が、前記選択手段によって選択された本放送または副放送を記憶する選択記憶手段と、前記受信手段によって受信されている本放送または副放送を記憶する受信記憶手段とを有し、
前記選択記憶手段に副放送が記憶され、かつ、前記受信記憶手段に本放送が記憶されている場合に、該予約手段が、該選択記憶手段に記憶されている副放送を予約する、請求項１または２に記載の受信装置。
【請求項４】
前記受信記憶手段に副放送が記憶されているとき、前記受信可否判断手段によって該受信記憶手段に記憶されている副放送が受信可能でないと判断された場合、前記指示手段が該副放送の代わりに本放送を受信するように前記受信手段に指示し、前記予約手段が該副放送を予約する、請求項３に記載の受信装置。
【請求項５】
前記放送が本放送および一または複数の副放送が受信可能であるか否かを示す受信可能ステータスをさらに含み、
前記受信可否判断手段が、該受信可能ステータスに基づいて副放送が受信可能か否かを判断する、請求項１〜４のいずれかに記載の受信装置。
【請求項６】
前記予約手段が、開始時刻、終了時刻および該開始時刻に受信すべき副放送を記憶するタイマ予約選択記憶手段と、
該タイマ予約選択記憶手段の記憶内容に基づいて受信している本放送または副放送を記憶するタイマ予約受信記憶手段とをさらに有し、
該タイマ予約選択記憶手段に記憶されている開始時刻になると、前記受信可否判断手段が、該タイマ予約選択記憶手段に記憶されている副放送が受信可能か否かを判断し、
前記指示手段が、該副放送が受信可能であると判断された場合に該副放送の受信を該受信手段に指示し、該副放送が受信可能でないと判断された場合に該副放送の代わりに本放送を受信するように該受信手段に指示し、
該予約手段が、該指示手段が該副放送の代わりに本放送を受信するように該受信手段に指示した場合に、該タイマ予約受信記憶手段に本放送を記憶することにより、該副放送の受信を予約し、
該予約手段によって該副放送の受信が予約されているとき、該受信可否判断手段によって該副放送が受信可能であると判断された場合、該指示手段が該副放送の受信を該受信手段に指示し、
該タイマ予約選択記憶手段に記憶されている終了時刻になると、該指示手段が、前記選択記憶手段に記憶されている本放送または副放送の受信を該受信手段に指示する、請求項３に記載の受信装置。
【請求項７】
複数のプログラムを含む放送の中から１つのプログラムを選択する選択手段と、
プログラムを受信する受信手段と、
該選択手段によってプログラムが選択された場合、該プログラムが受信可能か否かを判断する受信可否判断手段と、
該プログラムが受信可能であると判断された場合に該プログラムの受信を該受信手段に指示し、該プログラムが受信可能でないと判断された場合に該プログラムの代わりに別のプログラムを受信するように該受信手段に指示する指示手段と、
該指示手段が該別のプログラムを受信するように該受信手段に指示した場合に、該選択されたプログラムの受信を予約する予約手段とを備え、
該予約手段によってプログラムの受信が予約されているとき、該受信可否判断手段によって該予約されたプログラムが受信可能であると判断された場合に、該指示手段が該予約されたプログラムの受信を該受信手段に指示する、受信装置。
【請求項８】
本放送および一または複数の副放送を含む放送の中から、１つの本放送または副放送を選択するステップと、
該副放送が選択されたとき、該選択された副放送が受信可能か否かを判断するステップと、
該副放送が受信可能であると判断された場合、該副放送を受信するステップと、
該副放送が受信可能でないと判断された場合、該副放送の代わりに本放送を受信するステップと、
該副放送の代わりに本放送を受信するとき、該副放送の受信を予約するステップと、
該副放送の受信が予約されているとき、該予約されている副放送が受信可能であるか否かを判断するステップと、
該予約されている副放送が受信可能であると判断された場合、該予約されている副放送を受信するステップとを含む、放送受信方法。
【発明の詳細な説明】
【技術分野】
【０００１】
本発明は、本放送および一または複数の副放送を含むデジタル放送を受信する受信装置および放送受信方法に関する。
【背景技術】
【０００２】
現在、本放送および一または複数の副放送を含む放送であるデジタルラジオ放送が提案されている（例えば、特許文献１）。例えば、ヨーロッパではデジタルラジオ放送として、ＤＡＢ（Ｄｉｇｉｔａｌ
Ａｕｄｉｏ Ｂｒｏａｄｃａｓｔｉｎｇ）が放送されている。デジタルラジオ放送では、複数の放送の中から１つの放送が選択され、さらに、選択された放送に関して、本放送および一または複数の副放送の中から、１つの本放送または副放送が選択されて受信される。本放送は放送局が放送している限り常に放送しているので、ユーザによって本放送が選択されると、受信装置は必ず本放送を受信することができる。一方、副放送は常に放送しているとは限らないので、副放送が放送されていないときにユーザによって当該副放送が選択された場合、受信装置は、当該副放送を受信できない。この場合、受信装置は、当該副放送に対応する本放送を自動的に選択して受信するようにしている。そのため、副放送が放送開始した際に受信装置が当該副放送を受信するためには、ユーザの操作によって当該副放送を選択する指示を再度入力する必要があり、きわめて煩雑である。また、選択された副放送が放送開始したことをユーザが気付かずに、所望の放送を聞き逃す恐れがある。
【０００３】
また、本放送が常に放送しているとは限らないデジタルラジオ放送の規格においては、本放送についても同様の問題が生じる。すなわち、本放送が放送されていないときにユーザによって本放送が選択された場合、受信装置は、本放送に対応する副放送を自動的に選択して受信する。本放送が放送開始した際に受信装置が本放送を受信するためには、ユーザの操作によって本放送を選択する指示を再度入力する必要があり、きわめて煩雑である。
【０００４】
【特許文献１】特開２００３−６０６００
【発明の開示】
【発明が解決しようとする課題】
【０００５】
本発明の目的は、副放送が放送されておらず、代わりに本放送を受信した場合に、副放送を選択する指示を再度入力することなく、副放送が放送開始したときに副放送を自動的に受信できる受信装置を提供することである。
【課題を解決するための手段】
【０００６】
本発明の好ましい実施形態による受信装置は、本放送および一または複数の副放送を含む放送の中から、１つの本放送または副放送を選択する選択手段と、  本放送または副放送を受信する受信手段と、該選択手段によって副放送が選択された場合、該副放送が受信可能か否かを判断する受信可否判断手段と、該副放送が受信可能であると判断された場合に該副放送の受信を該受信手段に指示し、該副放送が受信可能でないと判断された場合に該副放送の代わりに本放送を受信するように該受信手段に指示する指示手段と、該指示手段が該副放送の代わりに本放送を受信するように該受信手段に指示した場合に、該副放送の受信を予約する予約手段とを備え、該予約手段によって該副放送の受信が予約されているとき、該受信可否判断手段によって該副放送が受信可能であると判断された場合、該指示手段が該副放送の受信を該受信手段に指示する。
【０００７】
好ましくは、上記受信手段が副放送を受信している場合、上記受信可否判断手段が、該副放送が受信できなくなるか否かを判断し、該副放送が受信できなくなると判断された場合、該指示手段が該副放送の代わりに本放送を受信するように該受信手段に指示し、前記予約手段が該副放送の受信を予約する。
【０００８】
好ましくは、上記予約手段は、上記選択手段によって選択された本放送または副放送を記憶する選択記憶手段と、上記受信手段によって受信されている本放送または副放送を記憶する受信記憶手段とを有し、上記選択記憶手段に副放送が記憶され、かつ、上記受信記憶手段に本放送が記憶されている場合に、該予約手段が、該選択記憶手段に記憶されている副放送を予約する。
【０００９】
好ましくは、上記受信記憶手段に副放送が記憶されているとき、上記受信可否判断手段によって該受信記憶手段に記憶されている副放送が受信可能でないと判断された場合、上記指示手段が該副放送の代わりに本放送を受信するように上記受信手段に指示し、上記予約手段が該副放送を予約する。
【００１０】
好ましくは、上記放送が本放送および一または複数の副放送が受信可能であるか否かを示す受信可能ステータスをさらに含み、上記受信可否判断手段は、該受信可能ステータスに基づいて副放送が受信可能か否かを判断する。
【００１１】
好ましくは、上記予約手段は、開始時刻、終了時刻および該開始時刻に受信すべき副放送を記憶するタイマ予約選択記憶手段と、該タイマ予約選択記憶手段の記憶内容に基づいて受信している本放送または副放送を記憶するタイマ予約受信記憶手段とをさらに有する。該タイマ予約選択記憶手段に記憶されている開始時刻になると、上記受信可否判断手段は、該タイマ予約選択記憶手段に記憶されている副放送が受信可能か否かを判断する。上記指示手段は、該副放送が受信可能であると判断された場合に該副放送の受信を該受信手段に指示し、該副放送が受信可能でないと判断された場合に該副放送の代わりに本放送を受信するように該受信手段に指示する。該予約手段は、該指示手段が該副放送の代わりに本放送を受信するように該受信手段に指示した場合に、該タイマ予約受信記憶手段に本放送を記憶することにより、該副放送の受信を予約する。該予約手段によって該副放送の受信が予約されているとき、該受信可否判断手段によって該副放送が受信可能であると判断された場合、該指示手段は該副放送の受信を該受信手段に指示する。該タイマ予約選択記憶手段に記憶されている終了時刻になると、該指示手段は、上記選択記憶手段に記憶されている本放送または副放送の受信を該受信手段に指示する。
【発明の効果】
【００１２】
ユーザによって選択指示された副放送が受信可能でなく、副放送の代わりに本放送を受信手段が受信した際に、副放送の受信が予約される。副放送が予約されているときに、副放送が受信可能になると、受信手段は本放送の代わりに予約されている副放送を自動的に受信する。従って、副放送を選択する指示をユーザが再度入力することなく、副放送が受信開始した際に、自動的に副放送を受信開始でき、ユーザの操作が簡略化できる。さらに、副放送が放送開始したことをユーザが気付かずに、所望の放送を聞き逃すという問題を解決できる。また、本放送を予約する場合についても同様の効果が得られ得る。
【発明を実施するための最良の形態】
【００１３】
以下、本発明の好ましい実施形態について、図面を参照して具体的に説明するが、本発明はこれらの実施形態には限定されない。本実施形態はデジタルラジオ放送の受信装置１について説明するが、デジタルテレビ放送についても同様である。図１は、本発明の好ましい実施形態による受信装置１を示す概略ブロック図である。受信装置１は、チューナー部２、マイコン処理部３、表示部４、入力部５、オーディオ処理部６およびメモリ部７を備える。
【００１４】
チューナー部２はアンテナ８で受信される複数の放送の中から、マイコン処理部３からの指示に基づいて選択された１つの放送を受信する。詳細には、各放送は複数のプログラム（本放送または副放送、詳細後述）を含んでいるので、チューナー部２は、複数のプログラムの中から選択された１つのプログラムを受信する。チューナー部２は、受信したプログラムの音声情報をオーディオ処理部６に供給する。オーディオ処理部６は、受信した音声情報を復号化およびデジタル／アナログ変換して、外部に接続されたスピーカー９に供給し音声を再生する。
【００１５】
図２は、放送のデータ構造の一例を示す概略図である。放送は、本放送および一または複数の副放送（本例では、２つの副放送１および２）を含む。ここで、本放送、副放送１および副放送２単位の放送のことをプログラムと呼ぶ。副放送は、本放送に関連する内容の放送である場合と、本放送に関連しない内容の放送である場合とがある。本放送および副放送のデータ構造は、特に限定されないが、例えば図２（ａ）に示すように、本放送および副放送が、ある周波数帯域でパケットとして順番に送信されてもよく、図２（ｂ）に示すように、ある周波数帯域で本放送が放送され、当該周波数と少しだけ（例えば０．１ＭＨｚ）異なる周波数帯域で副放送１および副放送２が放送されてもよく、（ａ）および（ｂ）の組合せでもよい。本例では、本放送は常に放送されており、副放送は常に放送されているとは限らないこととする（例えば、副放送が放送されていない場合を図２（ｃ）に示す）。
【００１６】
放送は付加情報をさらに含む。付加情報は、放送に関する種々の情報であり、例えば、本放送および副放送が現在放送しているか否か、すなわち、チューナー部２が本放送および副放送を受信可能か否かを示す受信可能ステータスを含む。受信可能ステータスは、本放送および副放送毎に、定期的に（少なくとも、これらのプログラムが放送開始（終了）すると同時にまたは直前に）送信される。さらに、付加情報は、放送の名称、放送カテゴリ、放送局名、放送言語、放送地域、アーティスト名等のメタデータ等を含む。本放送（副放送）および付加情報にはそれぞれＩＤが付与されているので、チューナー部２は受信したデータが本放送（副放送）であるか、付加情報であるかをＩＤに基づいて識別し分離することができる。
【００１７】
マイコン処理部３は、受信装置１全体の動作を制御するものであり、操作処理部１０および受信制御部１１を含む。マイコン処理部３は、図示しないＲＯＭ等に格納された受信装置１の動作プログラムに基づいて、後述する受信装置１の各処理を実行する。マイコン処理部３は、ユーザによって選択されたプログラム（例えば、副放送１）が受信可能でない場合に、副放送１の代わりに別のプログラム（例えば、本放送）をチューナー部２に受信させ、副放送１が受信可能になったときに、自動的に副放送１をチューナー部２に受信させる。このように、副放送１が受信可能になった時点で副放送１を受信させるようにする処理を副放送１の受信を予約すると呼ぶ。操作処理部１０は、ユーザによる放送およびプログラムの選択指示を受け付け、選択されたプログラムを後述する選択モードテーブルに記憶させる。受信制御部１１は、チューナー部２に受信すべき放送およびプログラムを指示し、後述する受信モードテーブルに現在受信しているプログラムを記憶させる。
【００１８】
メモリ部７は、下記表１に示す受信可否テーブルを格納している。
【表１】
2007235477.tif 000003
【００１９】
受信可否テーブルは、ユーザによって選択された放送に関して、その放送の各プログラムが現在放送しているか否か、つまり、チューナー部２が各プログラムを現在受信可能か否か、を表すテーブルである。受信可否テーブルは、本放送受信可能フラグ、副放送１受信可能フラグおよび副放送２受信可能フラグを含む。各放送受信可能フラグは、各プログラムが放送されている場合にセット（１）され、放送されていない場合にクリア（０）される。各放送受信可能フラグのセットおよびクリアは、チューナー部２が受信する付加情報に含まれる受信可能ステータスを参照して実行される。
【００２０】
メモリ部７は、下記表２に示す選択モードテーブルをさらに格納している。
【表２】
2007235477.tif 000004
【００２１】
選択モードテーブルは、ユーザからの指示によって選択されたプログラムを選択モードとして記憶するためのテーブルである。ユーザによって本放送が選択された場合には選択モードテーブルに本放送が記憶され、副放送１が選択された場合には副放送１が記憶され、副放送２が選択された場合には副放送２が記憶される。
【００２２】
メモリ部７は、下記表３に示す受信モードテーブルをさらに格納している。
【表３】
2007235477.tif 000005
【００２３】
受信モードテーブルは、チューナー部２が現在受信しているプログラムを受信モードとして記憶するためのテーブルである。本放送を受信している場合には受信モードテーブルに本放送が記憶され、副放送１が受信されている場合には副放送１が記憶され、副放送２が受信されている場合には副放送２が記憶される。
【００２４】
選択モードテーブルに記憶されている選択モードが副放送１（または副放送２）であり、受信モードテーブルに記憶されている受信モードが本放送である場合、ユーザが副放送１（または副放送２）を選択したが、副放送１（または副放送２）が放送されていなかったので、代わりに本放送を受信していることになる。この場合、選択モードテーブルに記憶されている副放送１（または副放送２）の受信が予約されることを意味する。従って、これら２つのテーブルを参照することにより予約の有無を判断できるので、副放送１（または副放送２）が放送開始され、副放送１（または副放送２）受信可能フラグがセットされた場合に、自動的にチューナー部２に副放送１（または副放送２）を受信開始させることができる。
【００２５】
表示部４は、現在受信している放送およびプログラムについての情報（例えば、放送名およびプログラムの名称）等を表示するものであり、例えば、ＬＣＤ等である。
【００２６】
入力部５は、ユーザからの指示を受け付けて、マイコン処理部３にユーザ指示を送信するものであり、操作キーまたはリモコン等である。入力部５は、例えば、チューニング（アップ、ダウン）キー、プリセット登録／削除キー、プリセット呼出キー（例えば、プリセット番号に対応した数字１〜１０キー）、等を含む。
【００２７】
次に、図３を参照して、副放送の予約処理について説明する。まず、マイコン処理部３は、各プログラムの現在の受信可否を判断するために、チューナー部２を介して受信可能ステータスを取得する（Ｓ３０１）。マイコン処理部３は、取得した受信可能ステータスに基づいて、表１の受信可否テーブル内の各フラグ（本放送受信可能フラグ、副放送１受信可能フラグおよび副放送２受信可能フラグ）をセットまたはクリアする。
【００２８】
マイコン処理部３は、ユーザによって選択されたプログラムを判断する（Ｓ３０２）。プログラムの選択方法としては、アップダウンキーの操作によって本放送、副放送１、副放送２、本放送の順番でプログラムが切り替えられてもよく、予めプリセット登録されたプログラムがプリセット呼出によって選択されてもよい。本放送が選択された場合（Ｓ３０２：本放送）、マイコン処理部３はチューナー部２に本放送を受信させ、表示部４に「本放送」と表示させる（Ｓ３０３）。本例では、本放送は常に放送されているので、本放送が現在放送しているか否かを判断する必要がない。その後、マイコン処理部３は、選択モードテーブルに選択モードとして「本放送」を記憶させ、受信モードテーブルに受信モードとして「本放送」を記憶させる（Ｓ３０４）。この場合、選択モードテーブルの記憶内容と受信モードテーブルの記憶内容とが一致している（共に本放送である）ので、副放送の予約は行われない。
【００２９】
次に、副放送１が選択された場合（Ｓ３０２：副放送１）、マイコン処理部３は、現在、副放送１が放送されているか否か、すなわち、副放送１を受信可能か否かを判断する（Ｓ３０５）。具体的には、マイコン処理部３は、受信可否テーブル内の副放送１受信可能フラグがセットされているか否かを判断する。副放送１受信可能フラグがセットされている場合（Ｓ３０５：ＹＥＳ）、副放送１が現在受信可能であるので、マイコン処理部３はチューナー部２に副放送１を受信させ、表示部４に「副放送１」と表示させる（Ｓ３０６）。マイコン処理部３は、選択モードテーブルに選択モードとして「副放送１」を記憶させ、受信モードテーブルに受信モードとして「副放送１」を記憶させる（Ｓ３０７）。この場合、選択モードテーブルの記憶内容と受信モードテーブルの記憶内容とが一致している（共に副放送１である）ので、副放送の予約は行われない。
【００３０】
一方、副放送１受信可能フラグ１がクリアされている場合（Ｓ３０５：ＮＯ）、副放送１は現在放送されておらず、受信不可能であるので、マイコン処理部３は、副放送１の代わりに本放送をチューナー部２に受信させ、表示部４に「副放送１予約」と表示させる（Ｓ３０８）。マイコン処理部３は、選択モードテーブルに選択モードとして「副放送１」を記憶させ、受信モードテーブルに受信モードとして「本放送」を記憶させる（Ｓ３０９）。この場合、選択モードテーブルの記憶内容と受信モードテーブルの記憶内容とが異なっているので、選択モードテーブルに記憶されている副放送１が予約される。
【００３１】
なお、副放送２が選択された場合（Ｓ３０２：副放送２）の処理については、副放送１が選択された場合の処理と同じであるので説明を省略する。すなわち、Ｓ３１０〜Ｓ３１４の各処理は、Ｓ３０５〜Ｓ３０９の各処理にそれぞれ対応している。
【００３２】
以上の処理によって、ユーザによって選択された副放送が現在受信可能でない場合に、副放送の代わりに本放送をチューナー部２が受信し、選択モードテーブルに副放送を記憶させ、受信モードテーブルに本放送を記憶させることにより、現在受信可能でない副放送が受信可能になったときに、チューナー部２が当該副放送を自動的に受信開始するように、副放送の受信を予約することができる。
【００３３】
次に、図４を参照して、予約された副放送が受信可能になった際に、チューナー部２が本放送に代えて予約されている副放送を受信開始する処理を説明する。まず、マイコン処理部３は、各プログラムの現在の受信可否を判断するために、チューナー部２を介して受信可能ステータスを取得する（Ｓ４０１）。マイコン処理部３は、取得した受信可能ステータスに基づいて、受信可否テーブル内の各フラグ（本放送受信可能フラグ、副放送１受信可能フラグおよび副放送２受信可能フラグ）をセットまたはクリアする。
【００３４】
マイコン処理部３は、現在の選択モード（本放送、副放送１または副放送２）、すなわちユーザによって選択されているプログラムを、選択モードテーブルの記憶内容を参照して判断する（Ｓ４０２）。現在の選択モードが本放送の場合（Ｓ４０２：本放送）、副放送の受信は予約されていないので、処理を終了する。
【００３５】
現在の選択モードが副放送１である場合（Ｓ４０２：副放送１）、マイコン処理部３は、現在の受信モード（現在受信しているプログラム）が本放送であるか、または、副放送１であるかを、受信モードテーブルの記憶内容を参照して判断する（Ｓ４０３）。すなわち、副放送１が予約された状態でチューナー部２が本放送を受信しているか、または、予約が行われずにチューナー部２が副放送１を受信しているかを判断する。
【００３６】
現在の受信モードが本放送である場合（Ｓ４０３：本放送）、マイコン処理部３は、副放送１が現在受信可能であるか否かを判断する（Ｓ４０４）。具体的には、マイコン処理部３は、受信可否テーブルの副放送１受信可能フラグがセットされているか否かを判断する。副放送１受信可能フラグがクリアされている場合（Ｓ４０４：ＮＯ）、未だ副放送１は放送されておらず受信可能ではないので、処理を終了する。一方、副放送１受信可能フラグがセットされている場合（Ｓ４０４：ＹＥＳ）、予約されている副放送１が放送開始されるので、マイコン処理部３は副放送１をチューナー部２に受信させ、表示部２に「副放送１開始」と表示させる（Ｓ４０５）。これにより、予約されている副放送１が放送開始したときに、自動的にチューナー部２が副放送１を受信開始することができる。続いて、マイコン処理部３は、受信モードテーブルに受信モードとして副放送１を記憶させる（Ｓ４０６）。その結果、選択モードテーブルの記憶内容と受信モードテーブルの記憶内容とが一致する（共に副放送１である）ので、副放送１の予約は解除される。
【００３７】
一方、現在の受信モードが副放送１である場合（Ｓ４０３：副放送１）、マイコン処理部３は、副放送１が現在受信不可能であるか否かを判断する（Ｓ４０７）。すなわち、マイコン処理部３は、受信している副放送１が受信できなくなるか否かを判断する。具体的には、マイコン処理部３は、受信可否テーブルの副放送１受信可能フラグがクリアされているか否かを判断する。受信可能でない旨の受信可能ステータスは、副放送１が放送を終了すると同時または直前に送信されるので、現在受信している副放送１が受信できなくなることを判断または予測することができる。副放送１受信可能フラグがセットされている場合（Ｓ４０７：ＮＯ）、未だ副放送１は放送されており受信可能であるので、処理を終了する。一方、副放送１受信可能フラグ１がクリアされている場合（Ｓ４０７：ＹＥＳ）、副放送１の放送が終了し、副放送１を受信できなくなるので、マイコン処理部３は、副放送１に代えて本放送をチューナー部２に受信させ、表示部４に「副放送１終了」と表示させる（Ｓ４０８）。これにより、副放送１の放送が終了したとき、チューナー部２が自動的に本放送を受信開始することができる。続いて、マイコン処理部３は、受信モードテーブルに受信モードとして本放送を記憶させる（Ｓ４０９）。その結果、選択モードテーブルの記憶内容と受信モードテーブルの記憶内容とが異なるので、選択モードテーブルに記憶された副放送１が予約される。従って、その後、再び副放送１が放送開始した際（Ｓ４０４：ＹＥＳ）、チューナー部２は予約されている副放送１を自動的的に受信することができる（Ｓ４０５）。
【００３８】
なお、現在の選択モードが副放送２である場合（Ｓ４０２：副放送２）の各処理は、現在の選択モードが副放送１である場合の各処理と同じであるので、説明を省略する。すなわち、Ｓ４１０〜Ｓ４１６の各処理は、Ｓ４０３〜Ｓ４０９の各処理にそれぞれ対応している。
【００３９】
以上の処理により、選択モードテーブルに副放送１が記憶され、受信モードテーブルに本放送が記憶されることにより副放送１が予約されている場合、副放送１の放送が開始されると、チューナー部２は受信する放送を本放送から副放送に自動的に切り換えることができる。また、副放送１の放送が終了した場合、チューナー部２は受信する放送を副放送１から本放送に自動的に変更し、選択モードテーブルに副放送１が記憶され、受信モードテーブルに本放送が記憶されることにより、副放送１が予約される。従って、副放送１の放送が再び開始されると、チューナー部２は受信する放送を本放送から副放送１に自動的に変更することができる。従って、副放送１がユーザによって選択された場合、副放送１が放送されている間は副放送１を受信し、副放送１が放送されていない間は副放送１の代わりに本放送を受信することができるので、ユーザは副放送１の放送開始および放送終了に併せてプログラムを選択する必要がない。
【００４０】
次に、本発明の別の好ましい実施形態について説明する。本例では、本放送および副放送が常に放送されているとは限らないこととし、本放送についても予約することができる。図５を参照して、本放送の予約処理を説明するが、図３と同一処理には同一符号を付し説明を省略する。ユーザによって本放送が選択され（Ｓ３０２：本放送）、本放送が放送されていない場合（Ｓ５０１：ＮＯ）、マイコン処理部３は受信可否テーブルを参照して、副放送１または副放送２のうち放送しているプログラムを選択して、チューナー部２に受信させる（Ｓ５０２）。次に、マイコン処理部３は、選択モードテーブルに選択モードとして本放送を記憶させ、受信モードテーブルにチューナー部２に受信させた副放送１または副放送２を記憶させる。これにより、選択モードテーブルの記憶内容と受信モードテーブルの記憶内容とが異なるので、選択モードテーブルに記憶されている本放送が予約される。
【００４１】
図６を参照して、予約されている本放送が受信可能になったときチューナー部２が自動的に本放送を受信する処理を説明するが、図４と同一処理には同一符号を付し説明を省略する。選択モードが本放送で（Ｓ４０２：本放送）、受信モードが副放送１または副放送２の場合（Ｓ６０１：本放送以外）、マイコン処理部３は本放送受信可能フラグがセットされているかを判断する（Ｓ６０２）。セットされている場合（Ｓ６０２：ＹＥＳ）、マイコン処理部３はチューナー部２に本放送を受信させ（Ｓ６０３）、受信モードテーブルに本放送を記憶させ（Ｓ６０４）、本放送の予約を解除する。一方、受信モードが本放送であり（Ｓ６０１：本放送）、本放送受信可能フラグがクリアされている場合（Ｓ６０５：ＹＥＳ）、マイコン処理部３はチューナー部２に副放送１または副放送２を受信させ（Ｓ６０６）、受信モードテーブルに副放送１または副放送２を記憶させ（Ｓ６０７）、本放送を予約する。
【００４２】
なお、副放送１または副放送２についても同様であるので、説明を省略する。また、簡単化のため副放送２については図５および図６には表していない。本例では、ユーザによって選択された副放送１が現在受信可能でなく、本放送も受信可能でない場合、副放送１の代わりに副放送２が受信される。
【００４３】
次に、本発明の別の好ましい実施形態について説明する。本例では、タイマ予約によってプログラムが受信される時も上記と同様の処理が実行される。メモリ部７は、タイマ予約選択モードテーブルおよびタイマ予約受信モードテーブルをさらに格納している。タイマ予約は、ユーザの操作に基づいて、開始時刻と終了時刻と受信するプログラムとをタイマ予約選択モードテーブルに記憶させておき、ユーザが設定した時刻になると、ユーザが設定したプログラムを受信するようにマイコン処理部３がチューナ部２に指示するものである。タイマ予約受信モードテーブルは、タイマ予約選択モードテーブルの記憶内容に基づいて、タイマ予約時間帯に実際に受信しているプログラムを記憶するテーブルである。
【００４４】
選択モードテーブルおよび受信モードテーブルをタイマ予約選択モードテーブルおよびタイマ予約受信モードテーブルに読み替え、図３および図４を援用して説明する。図３を参照して、タイマ予約選択モードテーブルに、副放送２（開始時刻８：００、終了時刻９：００）が記憶されているとき（Ｓ３０２：副放送２）、それまで副放送１を受信していたとしても、開始時刻である８：００になると、タイマ予約選択モードテーブルに記憶されている副放送２が受信可能か否かが判断される（Ｓ３１０）。副放送２が受信可能でない場合に（Ｓ３１０：ＮＯ）、マイコン処理部３は副放送２の代わりに本放送をチューナ部２に受信させ、タイマ予約受信モードテーブルに本放送を記憶させる。これにより、タイマ予約選択モードテーブルの記憶内容と、タイマ予約受信モードテーブルの記憶内容とが異なるので、タイマ予約選択モードテーブルに記憶されている副放送２が予約される。図４を参照して、副放送２が受信可能になったときに（Ｓ４１１：ＹＥＳ）、マイコン処理部３は副放送２をチューナ部２に受信開始させる（Ｓ４１２）。そして、終了時刻である９：００になると、マイコン処理部３は、副放送２を受信する以前に受信していたプログラム（すなわち、選択モードテーブルに記憶されているプログラム）をチューナ部２に再び受信させる。このように、本例では、タイマ予約選択モードテーブルおよびタイマ予約受信モードテーブルを別途設けており、タイマ処理によるプログラム受信によって選択モードテーブルの記憶内容が消去されないので、タイマ処理によるプログラム受信が終了した後、再びユーザによって選択されていたプログラムを受信開始することができる。
【００４５】
以上、本発明の好ましい実施形態を説明したが、本発明はこれらの実施形態には限定されない。例えば、副放送が受信可能か否かの判断は、受信可能ステータスによるものに限定されず、例えば、チューナー部２が受信している放送の強度を計測して判断するようにしてもよい。受信可能ステータスに基づいて判断する場合には、副放送が受信可能か否かを直ぐに判断できるという効果が得られる。本発明は、上記の受信装置を動作させるためのコンピュータプログラムまたはそのコンピュータプラグラムを記録した記録媒体という形態で提供されてもよい。
【産業上の利用可能性】
【００４６】
本発明は、デジタルラジオ放送（地上波、または衛星）またはデジタルテレビ放送（地上波、または衛星）の受信装置に好適に適用され得る。例えば、ＤＡＢの他に、ＩＳＤＢ−Ｔ、ＨＤ  Ｒａｄｉｏ、ＳＩＲＩＵＳ、ＸＭ、ＤＲＭ等に適用できる。
【図面の簡単な説明】
【００４７】
【図１】本発明の好ましい実施形態による受信装置１の構成を示すブロック図である。
【図２】本放送および副放送を含む放送のデータ構造を示す図である。
【図３】副放送の予約処理を示すフローチャートである。
【図４】予約された副放送を受信開始する処理を示すフローチャートである。
【図５】選択されたプログラムの予約処理を示すフローチャートである。
【図６】予約されたプログラムを受信開始する処理を示すフローチャートである。
【符号の説明】
【００４８】
１          受信装置
２          チューナー部
３          マイコン処理部
７          メモリ部
１０        操作処理部
１１        受信制御部
【図１】
2007235477.tif 000006
【図２】
2007235477.tif 000007
【図３】
2007235477.tif 000008
【図４】
2007235477.tif 000009
【図５】
2007235477.tif 000010
【図６】
2007235477.tif 000011
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
本放送および複数の副放送を含む放送の中から、ユーザ操作に応じて１つの本放送または副放送を選択する選択手段と、
本放送または副放送を受信する受信手段と、
該選択手段によって副放送が選択されたとき、該副放送が受信可能か否かを判断する受信可否判断手段と、
該副放送が受信可能であると判断された場合に該副放送の受信を該受信手段に指示し、該副放送が受信可能でないと判断された場合に該副放送の代わりに本放送を受信するように該受信手段に指示する指示手段と、
該選択手段によって選択された本放送または副放送を記憶する選択記憶手段と、
該受信手段によって受信されている本放送または副放送を記憶する受信記憶手段と、
該指示手段が該副放送の代わりに本放送を受信するように該受信手段に指示した場合に、該選択記憶手段に該副放送が記憶され、かつ、該受信記憶手段に本放送が記憶されることにより、該選択記憶手段に記憶されている副放送の受信を予約する予約手段とを備え、
該予約手段によって該副放送の受信が予約されているとき、該受信可否判断手段によって該選択記憶手段に記憶されている副放送が受信可能であると判断された場合、該指示手段が該選択記憶手段に記憶されている副放送の受信を該受信手段に指示し、該予約手段が、該選択記憶手段に記憶されている副放送が該受信記憶手段に記憶されることにより、該選択記憶手段に記憶されている副放送の予約を解除する、受信装置。
【請求項２】
前記受信記憶手段に副放送が記憶されているとき、前記受信可否判断手段によって該受信記憶手段に記憶されている副放送が受信可能でないと判断された場合、前記指示手段が該副放送の代わりに本放送を受信するように前記受信手段に指示し、前記予約手段が該副放送を予約する、請求項１に記載の受信装置。
【請求項３】
前記放送が本放送および複数の副放送が受信可能であるか否かを示す受信可能ステータスをさらに含み、
前記受信可否判断手段が、該受信可能ステータスに基づいて副放送が受信可能か否かを判断する、請求項１または２に記載の受信装置。
【請求項４】
前記予約手段が、開始時刻、終了時刻および該開始時刻に受信すべき副放送を記憶するタイマ予約選択記憶手段と、
該タイマ予約選択記憶手段の記憶内容に基づいて受信している本放送または副放送を記憶するタイマ予約受信記憶手段とをさらに有し、
該タイマ予約選択記憶手段に記憶されている開始時刻になると、前記受信可否判断手段が、該タイマ予約選択記憶手段に記憶されている副放送が受信可能か否かを判断し、
前記指示手段が、該副放送が受信可能であると判断された場合に該副放送の受信を該受信手段に指示し、該副放送が受信可能でないと判断された場合に該副放送の代わりに本放送を受信するように該受信手段に指示し、
該予約手段が、該指示手段が該副放送の代わりに本放送を受信するように該受信手段に指示した場合に、該タイマ予約受信記憶手段に本放送を記憶することにより、該副放送の受信を予約し、
該予約手段によって該副放送の受信が予約されているとき、該受信可否判断手段によって該副放送が受信可能であると判断された場合、該指示手段が該副放送の受信を該受信手段に指示し、
該タイマ予約選択記憶手段に記憶されている終了時刻になると、該指示手段が、前記選択記憶手段に記憶されている本放送または副放送の受信を該受信手段に指示する、請求項２に記載の受信装置。